(57)【特許請求の範囲】
【請求項１】
縦横に連結して組み立て可能な盤体において、
盤体が、複数の凹部と、該凹部間の上部に連設された頂壁部とからなり、
該頂壁部に点線状に打ち抜き穴が形成されており、該打ち抜き穴に沿って打ち抜いて孔部を形成しうると共に、
前記盤体を地面に設置した際に、前記頂壁部の下方は開放されて前記頂壁部の下方に対応する地面に植物を植えることができ、
前記孔部は、前記植物が通り抜けて延びうる大きさに設定されていることを特徴とする盤体。
【発明の詳細な説明】
【０００１】
【発明が属する技術分野】
この発明は、縦横に連結して設置面上に敷設し、踏盤その他の用途に用いることができる盤体の改良に関する。
【０００２】
【従来の技術】
従来、例えば、踏圧用の盤体として、縦横に連結する種々構成の踏盤が提案されている。
この場合、用途によって、接地面に対して透水性を持たせるために全体に透孔を形成したものが知られているが、透水孔の数を調整したり、透水孔を設けないようにするには、それぞれ別々の構成の盤体を形成しておく必要があった。
また、本発明者は特公平４−２６６４８号で示したように、盤体を縦横かつ上下に配設した構造体を用いて雨水等の貯留浸透施設とする構造を提案したが、ここで単一の容器状部材を多数連結するのでは手間がかかり、またコストが高くなるという問題点がある。
【０００３】
【発明が解決しようとする課題】
この発明は、上記事情に鑑みて鋭意研究の結果創案されたものであって、その主たる課題は、植物を通すための孔の数を適宜調整したり、孔の有無を選択することができる盤体を提供することにある。
この発明の別の課題は、多数の凹部を設けた盤体を用いることにより、縦横または上下に連結する際に簡便に且つコストダウンを図りながら行うことができる盤体を提供することにある。
【０００４】
【課題を解決するための手段】
この発明は上記課題を解決するため、この発明では、
縦横に連結して組み立て可能な盤体において、
盤体が、複数の凹部と、該凹部間の上部に連設された頂壁部とからなり、
該頂壁部に点線状に打ち抜き穴が形成されており、該打ち抜き穴に沿って打ち抜いて孔部を形成しうると共に、
前記盤体を地面に設置した際に、前記頂壁部の下方は開放されて前記頂壁部の下方に対応する地面に植物を植えることができ、
前記孔部は、前記植物が通り抜けて延びうる大きさに設定されている、という技術的手段を講じている。
【０００５】
【０００６】
【０００７】
【発明の実施の形態】
以下に、この発明の盤体の実施例について図面を参照しつつ説明する。
図１〜図３に一例を示す盤体１は、平面略正方形状の合成樹脂からなっており、複数（図示例では９つ）の凹部２を有しており、該隣接する凹部２の上端縁間には頂壁部３が格子状に形成されている。
また隣接する縦横二つの辺の外周に沿って、連結手段の一方の係合構成部４ａ、４ｂが形成され、対向する縦横二つの辺の外周に沿っては上記係合構成部４ａ、４ｂと係脱可能な他方の係合構成部５ａ、５ｂが形成されている。
この連結手段は図示例に限定されることなく、適宜の連結手段を用いることができる。
【０００８】
即ち、図示例の場合、凹部２は、上部が矩形に開口しており、上部から中途部まで垂直に延びており、中途部から下部が外側に広がるテーパ状となって倒立したほぼ截頭角錐状の中空を形成するよう４つの側壁１１と１つの底壁１２からなる周壁で囲繞され形成されている。
そして、この底壁１１と側壁１２との折曲部には、孔部１３が形成されており、水が盤体１を通って流下しうようになっている。
【０００９】
また、頂壁部３の下方は開放されており、縦または横に連通する流通路を形成している。
そして頂壁部３には、ミシン穴のように点線状に打ち抜き穴６が形成されており、該打ち抜き穴６に沿って打ち抜いて頂壁部３に孔部７を形成することができるようになっている。
図示例の場合は、凹部２の外周に沿って４つの頂壁部３が形成され、それぞれに２つずつの孔部７が形成しうる。
【００１０】
これにより、頂壁部３の下方は中空となって開放され、連続する流通路となっているので、内部に入り込んだ雨水などの流路として利用可能となっている。
また、この中空は、本実施例の場合、中途位置から下方に向かって漸次側方へ拡大する中空部８に形成されている。
従って、地面上に盤体１を設置した場合でも、地面を広く塞ぐことなく、植物の植生に与える影響を可及的に抑えることができる。
【００１１】
この盤体１は、前記凹部２内に適宜な充填物９を充填して使用に供することができる。
例えば、図４に示すように、地面１０上に盤体１を縦横に連結しておき、各凹部２内にコンクリート等の充填物９を流し込んで充填し、踏盤として利用することができる。
これにより、凹部２内の充填物９によって、その表面は硬度を有するので、路面を舗装する踏圧盤体として利用することができる。
充填物９は用途に応じて適宜物質を用いることができ、例えば、凹部２内には土、砂、砕石、発泡スチロールや適宜素材のブロック、ゴムタイヤのチップ等を充填してもよい。
【００１２】
次に、頂壁部３の下方に対応する個所に植物Ｐを植えておくことができる。
そして、前記打ち抜き穴６を打ち抜いて孔部７を形成すれば、上記植物が孔部７を超えて延びることができる。
また、中空部８は、上方が幅狭に形成されているので、熱が逃げにくく保温しやすい構成となっている。
そこで、孔部７は、最初から開けることもできるが、植物が一定の長さに成長するまでは打ち抜き穴６に沿って打ち抜かず閉じておいてもよい。
【００１３】
また、この盤体１は図５に示すように、凹部２内に充填せずに中空のままとし、開口側が重なるように上下および縦横に多数連結することにより、特公平４−２６６４８号で示したように、地面を掘り下げたタンク用凹部内に上記盤体１を多数連結した構造体を載置し、最上部に被覆手段を施すことにより、雨水等の貯留浸透施設に用いることができる。
図中１４は、一例として示す孔部７を利用した上下の連結手段である。
【００１４】
また、不透水性を有するゴムシート等で、上下および縦横に連結した盤体１を覆って地下に埋設し、雨水等の入り口を上部に設けておけば、小型の貯水槽として利用することができる。
更に、地面に埋設し、各盤体１内には芝生その他の植物を植えることにより、踏圧面保護装置として使用することもできる。
この際に盤体１は縦横と共に上下に連結可能な図示しない連結手段を設けておけばよい。
【００１５】
また、同様に多数の盤体１を縦横に連結して水中に浮かせてよい。
この際には、合成樹脂発泡体を充填して浮力を高めておくことが好ましい。
そして各盤体１の凹部２内には透水性ネット（図示せず）を敷設して内部に収納した土が抜け落ちないようにして土と植物を入れたり、鉢植えの植物をそのまま盤体に収納する等して湖や池等に浮かべることにより、植物を生育させることができる。
【００１６】
また、コンクリートその他の比重の重い充填物を充填し、また多数の連結された盤体１を一体に固着し、または袋や枠に収納して盤体１が分散しないようにして、魚礁や海岸線の砂の保護や消波ブロックとして使用することもできる。
【００１７】
更に、本実施例では、盤体は積み重ね可能なように凹部が下方に向かって狭まるテーパ面とした場合を例示したが、その形状は特に限定されない。
その他、要するにこの発明の要旨を変更しない範囲で種々変更しうること勿論である。
【００１８】
【発明の効果】
この発明は、複数の凹部を有する盤体を用いるので、簡単な構造でありながら、強度を有し、通水性や通気性も有することができるので、土中に埋設したり、水上に浮上させたり、水中、海中に埋没させる等各種の用途し使用することができ、汎用性に優れる。
更に内部中空部には、充填物を充填して浮力を高めたり比重を重くしたり剛性や強度を一層高めることができ、極めて有益である。
【図面の簡単な説明】
【図１】  盤体の実施例の平面図である。
【図２】  図１のＡ−Ａ線端面図である。
【図３】  図１のＢ−Ｂ線端面図である。
【図４】  盤体使用の一例を示す側面図である。
【図５】  異なる使用例を示す側面図である。
【符号の説明】
１・・・盤体
２・・・凹部
３・・・頂壁部
４ａ、４ｂ・・・一方の係合構成部
５ａ、５ｂ・・・他方の係合構成部
６・・・打ち抜き穴
７・・・孔部
８・・・中空部
９・・・充填物
１０・・地面
１１・・側壁
１２・・底壁
１３・・孔部
【図１】
0004129094.tif 000002
【図２】
0004129094.tif 000003
【図３】
0004129094.tif 000004
【図４】
0004129094.tif 000005
【図５】
0004129094.tif 000006